【手続補正書】
【提出日】平成23年3月18日(2011.3.18)
【手続補正１】
【補正対象書類名】特許請求の範囲
【補正対象項目名】全文
【補正方法】変更
【補正の内容】
【特許請求の範囲】
【請求項１】
時間領域の情報信号を周波数拡散してＭ本のサブキャリアから構成される第一の周波数拡散信号を生成し、前記周波数拡散した送信信号を、複数のサブキャリアから構成される一定の周波数帯域で定められる連続した複数の周波数チャネルのいずれかと、且つ一定の時間長で定められる複数の時間チャネルのいずれかに割り当てて送信する送信装置であって、
前記周波数チャネルのひとつを構成するサブキャリア数がＭより少ないＮである場合に、前記周波数チャネルに送信信号を割り当てるために前記第一の周波数拡散信号の一部をＭ−Ｎだけ削除して第二の周波数拡散信号を生成し、前記第二の周波数拡散信号を前記周波数チャネルに割り当てて送信することを特徴とする送信装置。
【請求項２】
前記削除する第一の周波数拡散信号の一部は、前記第一の周波数拡散信号の片側または両側の端の信号であることを特徴とする請求項１記載の送信装置。
【請求項３】
時間領域の情報信号を周波数拡散してＭ本のサブキャリアから構成される第一の周波数拡散信号を生成し、前記周波数拡散した送信信号を、Ｍより少ないＮ本のサブキャリアから構成される周波数チャネルに割り当てて送信する送信装置から送信された信号を受信する受信装置であって、
前記Ｎ本のサブキャリアから構成される周波数チャネルにおける受信信号を基に、前記Ｍ本のサブキャリアから構成される第一の周波数拡散信号によって通知されるべき前記情報信号の再生処理を行うことを特徴とする受信装置。
【請求項４】
前記情報信号の再生処理は、非線形繰り返し等化により行うことを特徴とする請求項３記載の受信装置。
【請求項５】
時間領域の情報信号を周波数拡散してＭ本のサブキャリアから構成される第一の周波数拡散信号を生成し、前記周波数拡散した送信信号を、複数のサブキャリアから構成される一定の周波数帯域で定められる連続した複数の周波数チャネルのいずれかと、且つ一定の時間長で定められる複数の時間チャネルのいずれかに割り当てて送信する送信装置と、
前記送信装置から送信された信号を受信する受信装置とから構成される無線通信システムであって、
前記送信装置は、前記周波数チャネルのひとつを構成するサブキャリア数がＭより少ないＮである場合に、前記周波数チャネルに送信信号を割り当てるために前記第一の周波数拡散信号の一部をＭ−Ｎだけ削除して第二の周波数拡散信号を生成し、前記第二の周波数拡散信号を前記周波数チャネルに割り当てて送信し、
前記受信装置は、前記送信装置から送信された前記Ｎ本のサブキャリアから構成される周波数チャネルにおける周波数拡散信号を受信し、前記受信した周波数拡散信号を基に、前記Ｍ本のサブキャリアから構成される第一の周波数拡散信号によって通知されるべき前記情報信号の再生処理を行うことを特徴とする無線通信システム。
【請求項６】
前記Ｎの値は、周波数チャネル毎に設定されていることを特徴とする請求項５記載の無線通信システム。
【手続補正２】
【補正対象書類名】明細書
【補正対象項目名】発明の名称
【補正方法】変更
【補正の内容】
【発明の名称】送信装置、受信装置及び無線通信システム
【手続補正３】
【補正対象書類名】明細書
【補正対象項目名】０００１
【補正方法】変更
【補正の内容】
【０００１】
本発明は、各端末のＤＦＴ部から並列に出力される信号の数に比べ、１サブチャネルを構成するサブキャリア数を少なく設定することにより、限られた帯域の中により多くの端末を収容可能とし、より高い伝送レートを得ることができる送信装置、受信装置及び無線通信システムに関するものである。
【手続補正４】
【補正対象書類名】明細書
【補正対象項目名】００１１
【補正方法】変更
【補正の内容】
【００１１】
本発明は、かかる実情に鑑み、限られた帯域の中により多くの端末を収容可能とし、システム全体として、より高い伝送レートを得ることができる送信装置、受信装置及び無線通信システムを提供しようとするものである。
【手続補正５】
【補正対象書類名】明細書
【補正対象項目名】００１２
【補正方法】変更
【補正の内容】
【００１２】
本発明は、時間領域の情報信号を周波数拡散してＭ本のサブキャリアから構成される第一の周波数拡散信号を生成し、前記周波数拡散した送信信号を、複数のサブキャリアから構成される一定の周波数帯域で定められる連続した複数の周波数チャネルのいずれかと、且つ一定の時間長で定められる複数の時間チャネルのいずれかに割り当てて送信する送信装置であって、
前記周波数チャネルのひとつを構成するサブキャリア数がＭより少ないＮである場合に、前記周波数チャネルに送信信号を割り当てるために前記第一の周波数拡散信号の一部をＭ−Ｎだけ削除して第二の周波数拡散信号を生成し、前記第二の周波数拡散信号を前記周波数チャネルに割り当てて送信することを特徴とする。
【手続補正６】
【補正対象書類名】明細書
【補正対象項目名】００１３
【補正方法】変更
【補正の内容】
【００１３】
ここで、前記削除する第一の周波数拡散信号の一部は、前記第一の周波数拡散信号の片側または両側の端の信号であることを特徴とする。
【手続補正７】
【補正対象書類名】明細書
【補正対象項目名】００１４
【補正方法】変更
【補正の内容】
【００１４】
また、本発明は、時間領域の情報信号を周波数拡散してＭ本のサブキャリアから構成される第一の周波数拡散信号を生成し、前記周波数拡散した送信信号を、Ｍより少ないＮ本のサブキャリアから構成される周波数チャネルに割り当てて送信する送信装置から送信された信号を受信する受信装置であって、
前記Ｎ本のサブキャリアから構成される周波数チャネルにおける受信信号を基に、前記Ｍ本のサブキャリアから構成される第一の周波数拡散信号によって通知されるべき前記情報信号の再生処理を行うことを特徴とする。
【手続補正８】
【補正対象書類名】明細書
【補正対象項目名】００１５
【補正方法】変更
【補正の内容】
【００１５】
ここで、前記情報信号の再生処理は、非線形繰り返し等化により行うことを特徴とする。
【手続補正９】
【補正対象書類名】明細書
【補正対象項目名】００１６
【補正方法】変更
【補正の内容】
【００１６】
また、本発明は、時間領域の情報信号を周波数拡散してＭ本のサブキャリアから構成される第一の周波数拡散信号を生成し、前記周波数拡散した送信信号を、複数のサブキャリアから構成される一定の周波数帯域で定められる連続した複数の周波数チャネルのいずれかと、且つ一定の時間長で定められる複数の時間チャネルのいずれかに割り当てて送信する送信装置と、
前記送信装置から送信された信号を受信する受信装置とから構成される無線通信システムであって、
前記送信装置は、前記周波数チャネルのひとつを構成するサブキャリア数がＭより少ないＮである場合に、前記周波数チャネルに送信信号を割り当てるために前記第一の周波数拡散信号の一部をＭ−Ｎだけ削除して第二の周波数拡散信号を生成し、前記第二の周波数拡散信号を前記周波数チャネルに割り当てて送信し、
前記受信装置は、前記送信装置から送信された前記Ｎ本のサブキャリアから構成される周波数チャネルにおける周波数拡散信号を受信し、前記受信した周波数拡散信号を基に、前記Ｍ本のサブキャリアから構成される第一の周波数拡散信号によって通知されるべき前記情報信号の再生処理を行うことを特徴とする。
【手続補正１０】
【補正対象書類名】明細書
【補正対象項目名】００１７
【補正方法】変更
【補正の内容】
【００１７】
ここで、前記Ｎの値は、周波数チャネル毎に設定されていることを特徴とする。
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２４
【補正方法】削除
【補正の内容】